(57)【要約】【課題】  内装施工現場には水場が遠い現場もあり、糊が付着した糊容器の運搬と洗浄に手間がかかっている。水で洗浄して洗い落とす必要がなく、運搬し易く、使い捨てができる、安価な糊容器が望まれている。【解決手段】  糊容器に貯留した糊をローラーにより汲み上げて壁紙に塗布する壁紙糊付機であって、糊容器は第１糊容器と第２糊容器の二重構造で、第１糊容器の内側に第２糊容器が分離可能に装着され、第２糊容器の底面を第１糊容器の底面に当てて重ねた場合に、第２糊容器の側面の、第１糊容器の側面よりも上に突き出る部分を第１糊容器の外側に曲げることにより保持する。また、第２糊容器が非金属材質である。【選択図】図３
2019209485.tif 000002
【特許請求の範囲】
【請求項１】
糊容器に貯留した糊をローラーにより汲み上げて壁紙に塗布する壁紙糊付機であって、
前記糊容器は第１糊容器と第２糊容器の二重構造で、前記第１糊容器の内側に、前記第２糊容器が分離可能に装着されることを特徴とする壁紙糊付機。
【請求項２】
前記第２糊容器の側面の高さは、前記第１糊容器の側面の高さよりも高く、
前記第２糊容器を前記第１糊容器の内側に装着した場合に、
前記第２糊容器の側面の、前記第１糊容器の側面よりも上に突き出る部分を、前記第１糊容器の側面の外側に曲げることにより、
前記第２糊容器を前記第１糊容器に保持することを特徴とする前記、請求項１の壁紙糊付機。
【請求項３】
前記第２糊容器の側面の外側に粘着剤を塗った粘着面を設け、
前記粘着剤により、前記第２糊容器を前記第１糊容器に保持することを特徴とする、前記請求項１、または請求項２記載の壁紙糊付機。
【請求項４】
前記第２糊容器が非金属材質であることを特徴とする前記請求項１、または請求項２、または請求項３記載の壁紙糊付機。
【発明の詳細な説明】
【技術分野】
【０００１】
本発明は、部屋の天井や壁面に貼る壁紙に糊を塗布するための壁紙糊付機である。詳しくは、糊を貯留する糊容器が第１糊容器と第２糊容器の二重構造で、第１糊容器の内側に、第２糊容器が分離可能に装着されることにより、糊が付着した第２糊容器を第１糊容器から分離して、第２糊容器のみを廃棄できるようにしたものである。
【背景技術】
【０００２】
従来技術の壁紙糊付機（１０１）を図１２と図１３に示す。従来技術の壁紙糊付機（１０１）は、脚（１０２）の上に本体部（１０３）が着脱自在に装着され、本体部（１０３）には、スリッター（１０４）と制御装置（１０５）と糊容器（１０７）が着脱自在に装着され、脚（１０２）の後方には、壁紙保持用リール（１０６）が着脱自在に装着される。
【０００３】
また、本体部（１０３）は、左右一対の上部フレーム（１０８）と左右一対の下部フレーム（１０９）と壁紙Ａを搬送して糊Ｂを塗布するための複数のローラーと歯車で構成され、
左右一対の上部フレーム（１０８）には、
検尺ローラー（１１０）とハイテンションローラー（１１１）と押さえローラー（１１２）が軸支されており、
左右一対の下部フレーム（１０９）には、送り出しローラー（１１３）と糊付けローラー（１１４）とナラシローラー（１１５）とドクターローラー（１１９）が軸支されている。
【０００４】
また、壁紙Ａに塗布する糊Ｂは図１４に示す糊容器（１０７）に貯留される。図１４は糊上げローラー（１１８）を取り外した状態である。
糊容器（１０７）は、左側面（１２２）と右側面（１２３）と背面（１２４）と正面（１２５）と 底面（１２６ａ）と底面（１２６ｂ）で構成され、底面（１２６ａ）と底面（１２６ｂ）が交わる辺が貯留される糊Ｂの水深が最も深いところとなっており、この位置の左側面（１２２）と右側面（１２３）の内側に、糊上げローラー（１１８）を軸支するための糊上げローラー軸受け（１２８ａ）と糊上げローラー軸受け（１２８ｂ）が設けられている。
また、底面（１２６ａ）には、糊抜き穴（１２９）が設けられており、糊抜き穴（１２９）には糊抜き穴蓋（１３０）が被せられている。
また、左側面（１２２）には糊容器脚（１２７ａ）が設けられ、右側面（１２３）には糊容器脚（１２７ｂ）が設けられており、左右一対の下部フレーム（１０９）の間に装着される。
【０００５】
また、糊容器（１０７）の材質は、糊上げローラー（１１８）を糊付けローラー（１１４）に所定の隙間を持って保持する剛性が必要とされるので、ステンレスやアルミの金属材質が適しており、また、少しでも軽くしたいので、表面処理を施して錆び難いようにしたアルミ材質がよく用いられている。
【０００６】
また、壁紙Ａに塗布する糊Ｂは、ペースト糊を水で希釈して撹拌したペースト糊がよく用いられている。希釈撹拌と糊Ｂの糊容器（１０７）への供給には、糊供給撹拌装置（図示せず）がよく用いられている。
【０００７】
また、左右一対の下部フレーム（１０９）には、糊容器（１０７）を装着するための、
左右一対の糊容器脚受け（１１６）と 左右一対の糊容器受け（１１７）が設けられ、
糊容器（１０７）が本体部（１０３）に装着されている場合に、糊容器（１０７）の内部に設けられた糊上げローラー（１１８）が、糊付けローラー（１１４）に所定の隙間を持って配置され、糊上げローラー（１１８）の回転により糊Ｂが糊容器（１０７）から汲み上げられて糊付けローラー（１１４）に転写され、ドクターローラー（１１９）により定められた厚みの糊Ｂが壁紙Ａに塗布される。
また、糊Ｂが塗布される壁紙Ａは、壁紙保持用リール（１０６）にセットされ、脚（１０２）の後方に設けられた原反受け（１２０）に装着され、スリッター（１０４）を通されて、
送り出しローラー（１１３）と検尺ローラー（１１０）によって内部に搬送され、裏面が糊付けローラー（１１４）に押さえつけられて糊Ｂが塗布され、ナラシローラー（１１５）によって均されて、壁紙糊付機（１０１）の正面側へ排出される。
以上で説明した構成の壁紙糊付機（１０１）を用いて内装施工する場合、糊Ｂが塗布される壁紙Ａの長さと枚数は、制御装置（１０５）の表示操作部（１２１）から、作業者により設定され、糊付けスタートスイッチ（図示せず）が押されると、
制御装置（１０５）の内部に設けられた演算部（図示せず）がモーター（図示せず）が起動し、壁紙Ａが搬送され、糊Ｂが塗布され、搬送される壁紙Ａの長さを、検尺部（図示せず）と検尺ローラー（１１０）により生成された検尺信号を演算部（図示せず）が演算することにより、設定された長さの壁紙Ａの糊付けが実行される。
【先行技術文献】
【特許文献】
【０００８】
【特許文献１】特開２０００−１５７９１３号
【０００９】
【特許文献２】特開２００１−１７０５３３号
【発明の開示】
【発明が解決しようとする課題】
【００１０】
このような壁紙糊付機（１０１）を用いて糊付けを実行し、部屋の壁紙施工が完了して現場を替わる等の際には、壁紙糊付機（１０１）は作業者によって清掃される。清掃の際、糊容器の中に余っている糊Ｂは、作業者により糊供給撹拌装置（図示せず）のタンクに戻される。しかし、糊容器の内壁に付着している糊Ｂは戻らないので、特開２００１−１７０５３３号のへら等を使用してかき落とすのであるが、全ての糊Ｂが落ちるのではなく、内壁や隅部などに付着して残る。特開２０００−１５７９１３号のコーティングを施した糊容器は価格が高いので普及していない。
糊容器を水で洗う必要があるが、内装施工現場には水場が遠い現場もあり、糊が付着した糊容器の運搬と洗浄には手間がかかっている。
また、糊容器は糊上げローラーを糊付けローラーに所定の隙間を持って保持する必要がああることと、糊容器には貯留された糊の圧力がかかるので、ステンレスやアルミなどの金属材質で剛性があり、ゴツゴツした様態で運搬し難いものとなっている。
このような背景から、水で洗浄して洗い落とす必要がなく、運搬し易く、容易に廃棄でき、安価で使い捨てができる糊容器が望まれている。
【課題を解決するための手段】
【００１１】
糊容器に貯留した糊をローラーにより汲み上げて壁紙に塗布する壁紙糊付機であって、
糊容器は第１糊容器と第２糊容器の二重構造で、
第１糊容器の内側に第２糊容器が分離可能に装着されることを特徴とする。
【００１２】
第２糊容器の側面の高さは、第１糊容器の側面の高さよりも高く、
第２糊容器を第１糊容器の内側に装着した場合に、
第２糊容器の側面の、第１糊容器の側面よりも上に突き出る部分を第１糊容器の側面の外側に曲げることにより、
第２糊容器を第１糊容器に保持することを特徴とする。
【００１３】
第２糊容器の側面の外側に粘着剤を塗った粘着面を設け、
粘着剤により、第２糊容器を第１糊容器に保持することを特徴とする。
【００１４】
第２糊容器が非金属材質であることを特徴とする。
【発明の効果】
【００１５】
糊容器に貯留した糊をローラーにより汲み上げて壁紙に塗布する壁紙糊付機であって、
糊容器は第１糊容器と第２糊容器の二重構造で、第１糊容器の内側に第２糊容器が分離可能に装着されることを特徴とするので、
第２糊容器が分離されたあとの第１糊容器には糊Ｂは付着していないので、水洗いする必要はなく、そのまま本体部に装着し、糊が付着した第２糊容器だけを廃棄することができる。
【００１６】
第２糊容器の側面の高さは、第１糊容器の側面の高さよりも高く、
第２糊容器を第１糊容器の内側に装着した場合に、
第２糊容器の側面の、第１糊容器の側面よりも上に突き出る部分を第１糊容器の側面の外側に曲げることにより、第２糊容器を第１糊容器に保持することを特徴とするので、
第２糊容器の第１糊容器への装着と分離が容易にできる。
【００１７】
第２糊容器の側面の外側に粘着剤を塗った粘着面を設け、
粘着剤により、第２糊容器を第１糊容器に保持することを特徴とするので、
第２糊容器の第１糊容器への装着と分離が容易にできる。
【００１８】
第２糊容器が非金属材質であること特徴とするので、
軽くて、かつ、折りたたむことができるので、運搬し易く、ゴミ袋などに入れて廃棄し易いもので、安価で使い捨てができる。
【図面の簡単な説明】
【００１９】
【図１】図１は、本発明の壁紙糊付機を説明するための図である。
【図２】図２は、本発明の壁紙糊付機を説明するための断面図である。
【図３】図３は、本発明の壁紙糊付機の糊容器を説明するための図である。
【図４】図４は、本発明の糊容器を説明するための図であり、図４（ａ）は、糊容器を真上から見た図であり、図４（ｂ）は、糊容器の幅方向の断面図であり、図４（ｃ）は、糊容器の奥行き方向の断面図である。
【図５】図５は端部押さえの形状を説明するための図である。
【図６】図６は、本発明の壁紙糊付機の糊容器を説明するための図である。
【図７】図７は、本発明の糊容器を説明するための図であり、図７（ａ）は、糊容器を真上から見た図であり、図７（ｂ）は、糊容器の幅方向の断面図であり、図７（ｃ）は、糊容器の奥行き方向の断面図である。
【図８】図８は、本発明の壁紙糊付機の糊容器を説明するための図である。
【図９】図９は、本発明の糊容器を説明するための図であり、図９（ａ）は、糊容器を真上から見た図であり、図９（ｂ）は、糊容器の幅方向の断面図であり、図９（ｃ）は、糊容器の奥行き方向の断面図である。
【図１０】図１０は、本発明の壁紙糊付機の糊容器を説明するための図である。
【図１１】図１１は、本発明の糊容器を説明するための図であり、図１１（ａ）は、糊容器を真上から見た図であり、図１１（ｂ）は、糊容器の幅方向の断面図であり、図１１（ｃ）は、糊容器の奥行き方向の断面図である。
【図１２】図１２は、従来技術の壁紙糊付機を説明するための図である。
【図１３】図１３は、本発明の壁紙糊付機を説明するための断面図である。
【図１４】図１４は、従来技術の糊容器を説明するための図である。
【発明を実施するための最良の形態】
【００２０】
図１と図２に本発明の壁紙糊付機を示す。
脚（２）の上に本体部（３）が着脱自在に装着され、本体部（３）には、スリッター（４）と制御装置（５）と第１糊容器（７）が着脱自在に装着され、脚（２）の後方には、壁紙保持用リール（６）を装着するための原反受け（２０）が設けられている。
【００２１】
また、本体部（３）は、左右一対の上部フレーム（８）と左右一対の下部フレーム（９）と、壁紙Ａを搬送して糊Ｂを塗布するための複数のローラーと歯車で構成され、左右一対の上部フレーム（８）には、検尺ローラー（１０）とハイテンションローラー（１１）と押さえローラー（１２）が軸支されており、左右一対の下部フレーム（９）には、送り出しローラー（１３）と糊付けローラー（１４）とナラシローラー（１５）とドクターローラー（１９）が軸支されている。
【００２２】
また、壁紙Ａに塗布される糊Ｂは、図３と図４に示す、第１糊容器（７）の内側に第２糊容器（５０）が装着された二重構造の糊容器に貯留される。
外側の第１糊容器（７）は、左側面（２２）と右側面（２３）と背面（２４）と正面（２５）と底面（２６ａ）と底面（２６ｂ）の面からなる略直方体の容器で、底面（２６ａ）と底面（２６ｂ）が交わる辺が、貯留される糊Ｂの水深が最も深くなるところであり、この位置の左側面（２２）と右側面（２３）には糊上げローラー受け（２８ａ）と糊上げローラー受け（２８ｂ ）が設けられている（図３は、糊上げローラー（１８）を取り外した状態である）。
また、左側面（２２）と右側面（２３）には本体部（３）に装着するための糊容器脚（２７ａ）と糊容器脚（２７ｂ）が設けられており、左右一対の下部フレーム（９）の間に装着される。
また、底面（２６ａ）には糊抜き穴（２９）が設けられており、糊抜き穴（２９）に糊抜き穴蓋（３０）が脱着自在に被せられている。
【００２３】
また、第１糊容器（７）の材質は、糊上げローラー（１８）を糊付けローラー（１４）に所定の隙間を持って保持する剛性が必要とされるのでステンレスやアルミの金属材質が適しており、本発明では、少しでも軽い壁紙糊付機（１）としたいので、表面処理を施して錆び難いようにしたアルミ材質を用いている。
【００２４】
続いて、内側に装着される第２糊容器（５０）の構成を説明する。
第２糊容器（５０）は樹脂フィルムが用いられており、第２糊容器（５０）の形状は第１糊容器（７）と同じ形状であり、第１糊容器（７）の内側の寸法と第２糊容器（５０）の外側の寸法が同じであり、第２糊容器（５０）を第１糊容器（７）の内側に装着した場合には、
第２糊容器（５０）の左側面（５１）が第１糊容器（７）の左側面（２２）に隙間なく接触し、第２糊容器（５０）の右側面（５２）が第１糊容器（７）の右側面（２３）に隙間なく接触し、第２糊容器（５０）の背面（５３）が第１糊容器（７）の背面（２４）に隙間なく接触し、第２糊容器（５０）の正面（５４）が第１糊容器（７）の正面（２５）に隙間なく接触し、第２糊容器（５０）の底面（５５ａ）が第１糊容器（７）の底面（２６ａ）に隙間なく接触し、第２糊容器（５０）の底面（５５ｂ）が第１糊容器（７）の底面（２６ｂ）に隙間なく接触する。
【００２５】
また、第２糊容器（５０）の左側面（５１）と右側面（５２）と背面（５３）と正面（５４）の高さ寸法を、第１糊容器（７）の左側面（２２）と右側面（２３）と背面（２４）と正面（２５）の高さ寸法よりも高くして、
第２糊容器（５０）を第１糊容器（７）の内側に装着した場合には、第２糊容器（５０）の左側面（５１）と右側面（５２）と背面（５３）と正面（５４）の上端部は上方へ突き出るようにして、突き出る部分に、切り込み（５６ａ）と切り込み（５６ｂ）と切り込み（５６ｃ）と切り込み（５６ｄ）が設けられている。
【００２６】
以上に説明した第１糊容器（７）と第２糊容器（５０）が二重構造の一つの糊容器となった状態を図４を用いて説明する。図４（ａ）は、糊容器を真上から見た図であり、図４（ｂ）は、糊容器の幅方向の断面図であり、図４（ｃ）は、糊容器の奥行き方向の断面図である。（図４には、糊上げローラー受け（２８ａ）と糊上げローラー受け（２８ｂ ）と糊抜き穴（２９）と糊抜き穴（２９）は描いていない。）
第２糊容器（５０）の左側面（５１）と右側面（５２）と背面（５３）と正面（５４）の、第１糊容器（７）の左側面（２２）と右側面（２３）と背面（２４）と正面（２５）の上端よりも上方へ突き出てい部分を、第１糊容器（７）の外側へ折り曲げて、端部押さえ（５７ａ）と端部押さえ（５７ｂ）と端部押さえ（５７ｃ）と端部押さえ（５７ｄ）を、折り曲げたところへ取り付けて挟み込むことにより、第２糊容器（５０）は第１糊容器（７）内側に装着され保持された二重構造の一つの糊容器となる構成である。
【００２７】
図５は、端部押さえ（５７ａ）と端部押さえ（５７ｂ）と端部押さえ（５７ｃ）と端部押さえ（５７ｄ）であり、断面がコの字状のゴム材質で弾力のあるもので、第１糊容器（７）の側面の両側に第２糊容器（５０）の側面を押しつけて保持することができるものである。
また、カッターナイフやはさみで任意の長さに切断して使うことができるものである。
また、曲げることもできるので、直角にまげて、第１糊容器（７）の角部（左側面（２２）と正面（２５）の交点、正面（２５）と右側面（２３）の交点、右側面（２３）と背面（２４）の交点、背面（２４）と左側面（２２）の交点）にも取り付けることができる。
【００２８】
また、第２糊容器（５０）は、端部押さえ（５７ａ）と端部押さえ（５７ｂ）と端部押さえ（５７ｃ）と端部押さえ（５７ｄ）を上方へ引き上げて取り外して、第２糊容器（５０）の側面先端の折り曲げ部を手で持って上へ引き上げれば、第１糊容器（７）と分離できる構成である。
【００２９】
以上に説明した本発明の第１糊容器（７）と第２糊容器（５０）の二重構造の糊容器を装備した壁紙糊付機（１）を用いて糊付けを実行する様子を説明する。
まず、糊を入れる前に作業者により、壁紙糊付機の本体部（３）から第１糊容器（７）を取り出して、本体部（３）の上などに置いて、糊上げローラー（１８）を取り外し、第１糊容器（７）の内側に第２糊容器（５０）を重ねて入れて、側面端部を曲げて、端部押さえ（５７ａ）  端部押さえ（５７ｂ）端部押さえ（５７ｃ）端部押さえ（５７ｄ）により固定して、第２糊容器（５０）を第１糊容器（７）に保持する。
また、端部押さえ（５７ａ）  端部押さえ（５７ｂ）端部押さえ（５７ｃ）端部押さえ（５７ｄ）は、カッターナイフやはさみで任意の長さに切断して角部（前述した各辺の交点）に取り付ける場合もある。
なお、第２糊容器（５０）の第１糊容器（７）への装着は事務所でやっておいてもよいし、折りたたんだ第２糊容器（５０）を第１糊容器（７）の中に入れて運搬してきて内装施工現場でやってもよい。
【００３０】
第２糊容器（５０）の装着が終わったら、糊上げローラー（１８）を第１糊容器（７）に装着する。
この場合、作業者は、第２糊容器（５０）の左側面（５１）の糊上げローラー受け（２８ａ）の位置と右側面（５２）の糊上げローラー受け（２８ｂ）の位置を、カッターナイフで少し突いて裂け目を入れれば、糊上げローラー（１８）の軸は、左側面（５１）および右側面（５２）を突き破って糊上げローラー受け（２８ａ）と糊上げローラー受け（２８ｂ）に嵌まる。
【００３１】
そして、作業者により、内側に第２糊容器（５０）が装着され、糊上げローラー（１８）が装着された第１糊容器（７）が本体部（３）に装着される。
本体部（３）に設けられた左右一対の糊容器脚受け（１６）により、第１糊容器（７）の糊容器脚（２７ａ）と糊容器脚（２７ｂ）が支持され、左右一対の糊容器受け（１７）により、第１糊容器（７）の底面（２６ａ）と底面（５５ｂ）が支持されて、左右一対の下部フレーム（９）の間に装着される。
第１糊容器（７）の糊上げローラー受け（２８ａ）と糊上げローラー受け（２８ｂ）に装着された糊上げローラー（１８）は、所定の隙間で糊付けローラー（１４）に平行に配置される。
【００３２】
以上で糊付けの機械準備ができたので糊を入れる。壁紙Ａに塗布する糊Ｂは、ペースト糊を水で希釈して撹拌した糊がよく用いられている。希釈撹拌と糊Ｂの第２糊容器（５０）への供給には、糊供給撹拌装置（図示せず）がよく用いられている。
糊供給撹拌装置（図示せず）を自動供給動作で使う場合は、第１糊容器（７）の糊抜き穴（２９）に専用の供給継ぎ手（図示せず）を用いてホースを接続して、第２糊容器（５０）の底面（５５ａ）をカッターナイフで少し突いて裂け目を入れる。
手動側で使う場合は、第１糊容器（７）を本体部（３）から手前へ少し引き出して、手動で供給させて、ホースの先端を第２糊容器（５０）に向けて入れる。
【００３３】
糊Ｂが塗布される壁紙Ａは、壁紙保持用リール（６）にセットされ、脚（２）の後方に設けられた原反受け（２０）に装着され、スリッター（４）を通されて、送り出しローラー（１３）と検尺ローラー（１０）によって、壁紙糊付機（１）の内部に搬送される。
【００３４】
また、糊Ｂが塗布される壁紙Ａの長さと枚数は、制御装置（５）の表示操作部（２１）から作業者により設定され、糊付けスタートスイッチ（図示せず）が押されると、制御装置（５）の内部に設けられた演算部（図示せず）がモーター（図示せず）を起動し、壁紙Ａが搬送され、第２糊容器（５０）に貯留された糊Ｂが糊上げローラー（１８）によって汲み上げられて糊付けローラー（１４）に転写され、ドクターローラー（１９）によって定められた厚みの糊Ｂが裏面に塗布され、ナラシローラー（１１５）によって均され、搬送される壁紙Ａの長さを、検尺部（図示せず）と検尺ローラー（１０）により生成された検尺信号を演算部（図示せず）が演算することにより、設定された長さの壁紙Ａの糊付けが実行される。
【００３５】
このようにして、糊付けを実行して、全ての部屋の壁紙施工が完了して現場を替わる等の際には、壁紙糊付機（１）は作業者によって清掃される。内部に第２糊容器（５０）を装着した第１糊容器（７）を本体部（３）から抜き出して、斜めにして、余っている糊Ｂを、糊供給撹拌装置（図示せず）のタンクに戻すか、あるいは、バケツなどを壁紙糊付機（１）の下方に置いて、第１糊容器（７）の糊抜き穴蓋（３０）を抜いて、糊抜き穴（２９）の部分の第２糊容器（５０）の底面（５５ａ）をカッターナイフで少し切って、余っている糊Ｂをバケツに入れる。
【００３６】
しかし、余っている糊Ｂをバケツに入れても、第２糊容器（５０）の内部に糊Ｂは付着しているが、そのまま、糊上げローラー（１８）に付着している糊Ｂをへら等で第２糊容器（５０）の内部に落とし、端部押さえ（５７ａ）と端部押さえ（５７ｂ）と端部押さえ（５７ｃ）と端部押さえ（５７ｄ）も取り外して、第２糊容器（５０）を第１糊容器（７）の上方へ取り出して分離する。
そして、第２糊容器（５０）を折りたたむなどしてゴミ袋などに入れて他のゴミと一緒に廃棄する。第１糊容器（７）は本体部（３）に装着する。
【００３７】
以上に説明したように、本発明の壁紙糊付機（１）が装着する糊容器は、第１糊容器（７）と第２糊容器（５０）の二重構造で、第１糊容器（７）の内側に第２糊容器（５０）を分離可能に装着し、第２糊容器（５０）が分離されたあとの第１糊容器（７）には糊Ｂは付着していないので水洗いする必要はなくそのまま本体部（３）に装着し、糊Ｂが付着した第２糊容器（５０）だけを廃棄することができる。
また、第２糊容器（５０）は非金属の薄い材質であるので、折りたたむことができ、軽いので、容易に運搬ができ、ゴミ袋などに廃棄し易く、安価で使い捨てができるものである。
また、第２糊容器（５０）の第１糊容器（７）への装着と分離が容易にできるものである。
【００３８】
次に、端部押さえを使わないで保持する方法の第２糊容器（６０）を、図６を用いて説明する。第２糊容器（６０）は樹脂フィルムで作られている。
また、第２糊容器（６０）の形状は第１糊容器（７）と同じ形状であり、第１糊容器（７）の内側の寸法と第２糊容器（６０）外側の寸法が同じである。
【００３９】
第２糊容器（６０）の左側面（６１）と右側面（６２）と背面（６３）と正面（６４）の高さ寸法は、第１糊容器（７）の左側面（２２）と右側面（２３）と背面（２４）と正面（２５）よりも高くなっており、第２糊容器（６０）を第１糊容器（７）の内側に重ねて入れて、第２糊容器（６０）の底面（６５ａ）と底面（６５ｂ）が第１糊容器（７）の底面（２６ａ）と底面（２６ｂ）に接している時には上方へ突き出る。
突き出る部分に、切り込み（６６ａ）と切り込み（６６ｂ）と切り込み（６６ｃ）と
切り込み（６６ｄ）が設けられている。
また、粘着剤面（６７ａ）と粘着剤面（６７ｂ）と粘着剤面（６７ｃ）と粘着剤面（６７ｄ）が設けられている。
【００４０】
図７を用いて第１糊容器（７）と第２糊容器（６０）が二重構造の１つの糊容器となった状態を説明する。
第２糊容器（６０）の左側面（６１）と右側面（６２）と背面（６３）と正面（６４）の、
第１糊容器（７）の左側面（２２）と右側面（２３）と背面（２４）と正面（２５）の上端よりも上方へ突き出てい部分を、第１糊容器（７）の外側へ折り曲げて、
折り曲げたところを、第１糊容器（７）の左側面（２２）の外側と右側面（２３）の外側と背面（２４）の外側と正面（２５）の外側に粘着剤面（６７ａ）と粘着剤面（６７ｂ）と粘着剤面（６７ｃ）と粘着剤面（６７ｄ）で接着して保持させる。
【００４１】
第２糊容器（６０）を第１糊容器（７）から分離する場合は、粘着剤面（６７ａ）と粘着剤面（６７ｂ）と粘着剤面（６７ｃ）と粘着剤面（６７ｄ）を剥がすと容易に分離できる
程度の接着力である。
【００４２】
内部に第２糊容器（６０）が装着された第１糊容器（７）の使い方は、内部に第２糊容器（５０）が装着された第１糊容器（７）の使い方と同じである。糊付け作業が完了した際に、第２糊容器（６０）を分離して使い捨てができ、清掃が容易な壁紙糊付機（１）が得られるものである。
【００４３】
次に、第１糊容器（７）の深さよりも浅い第２糊容器（７０）で、上端部を折り曲げない方法で第２糊容器（７０）を第１糊容器（７）に保持する糊容器を、図８を用いて説明する。第２糊容器（７０）は樹脂フィルムで作られている。
また、第２糊容器（７０）の形状は第１糊容器（７）と同じ形状であり、第１糊容器（７）の内側の寸法と第２糊容器（７０）外側の寸法が同じである。
【００４４】
第２糊容器（７０）の左側面（７１）と右側面（７２）と背面（７３）と正面（７４）の高さ寸法は、第１糊容器（７）の左側面（２２）と右側面（２３）と背面（２４）と正面（２５）よりも低くなっており、第２糊容器（７０）の左側面（７１）と右側面（７２）と背面（７３）と正面（７４）の上端に、粘着剤面（７６ａ）と粘着剤面（７６ｂ）と粘着剤面（７６ｃ）と粘着剤面（７６ｄ）が設けられている。
【００４５】
図９を用いて第１糊容器（７）と第２糊容器（７０）が二重構造の１つの糊容器となった状態を説明する。
第２糊容器（７０）の左側面（７１）と右側面（７２）と背面（７３）と正面（７４）の、
粘着剤面（７６ａ）と粘着剤面（７６ｂ）と粘着剤面（７６ｃ）と粘着剤面（７６ｄ）を
第１糊容器（７）の左側面（２２）と右側面（２３）と背面（２４）と正面（２５）の内側に接着して保持させる。
【００４６】
第２糊容器（７０）を第１糊容器（７）から分離する場合は、粘着剤面（７６ａ）と粘着剤面（７６ｂ）と粘着剤面（７６ｃ）と粘着剤面（７６ｄ）を剥がすと容易に分離できる接着力である。
【００４７】
内部に第２糊容器（７０）が装着された第１糊容器（７）の使い方は、内部に第２糊容器（５０）が装着された第１糊容器（７）の使い方と同じである。糊付け作業が完了した際に、第２糊容器（７０）を分離して使い捨てができ、清掃が容易な壁紙糊付機（１）が得られるものである。
【００４８】
続いて、第２糊容器（８０）の全面に粘着剤面を設けた糊容器を、図１０を用いて説明する。第２糊容器（８０）は樹脂フィルムで作られている。
また、第２糊容器（８０）の形状は第１糊容器（７）と同じ形状であり、第１糊容器（７）の内側の寸法と第２糊容器（８０）外側の寸法が同じである。
【００４９】
第２糊容器（８０）の左側面（８１）と右側面（８２）と背面（８３）と正面（８４）の高さ寸法は、第１糊容器（７）の左側面（２２）と右側面（２３）と背面（２４）と正面（２５）よりも低くなっており、第２糊容器（８０）の左側面（８１）と右側面（８２）と背面（８３）と正面（８４）と底面（８５ａ）と底面（８５ｂ）に、粘着剤面（８６ａ）と粘着剤面（８６ｂ）と粘着剤面（８６ｃ）と粘着剤面（８６ｄ）と粘着剤面（８６ｅ）と粘着剤面（８６ｆ）が設けられている。
【００５０】
図１１を用いて第１糊容器（７）と第２糊容器（８０）が二重構造の１つの糊容器となった状態を説明する。
第２糊容器（８０）の左側面（８１）と右側面（８２）と背面（８３）と正面（８４）の、
粘着剤面（８６ａ）と粘着剤面（８６ｂ）と粘着剤面（８６ｃ）と粘着剤面（８６ｄ）と粘着剤面（８６ｅ）と粘着剤面（８６ｆ）を、第１糊容器（７）の左側面（２２）と右側面（２３）と背面（２４）と正面（２５）と底面（２５ａ）と底面（２５ｂ）にの内側に接着して保持させる。
【００５１】
第２糊容器（８０）を第１糊容器（７）から分離する場合は、粘着剤面（８６ａ）と粘着剤面（８６ｂ）と粘着剤面（８６ｃ）と粘着剤面（８６ｄ）と粘着剤面（８６ｅ）と粘着剤面（８６ｆ）を剥がすと容易に分離できる接着力である。
【００５２】
内部に第２糊容器（８０）が装着された第１糊容器（７）の使い方は、内部に第２糊容器（５０）が装着された第１糊容器（７）の使い方と同じである。糊付け作業が完了した際に、第２糊容器（８０）を分離して使い捨てができ、清掃が容易な壁紙糊付機（１）が得られるものである。
【００５３】
第２糊容器（５０）、第２糊容器（６０）、第２糊容器（７０）、第２糊容器（８０）を紙材質で作る場合でも同様の効果が得られる。
紙材質の場合は、糊上げローラー受け（２８ｂ ）と糊上げローラー受け（２８ａ）と糊抜き穴（２９）の部分を、作業者がカッターナイフで上手にくり抜くことが難しいので、糊上げローラー受け（２８ｂ ）と糊上げローラー受け（２８ａ）と糊抜き穴（２９）の部分に予め穴を設けておくことが望ましい。
また、第２糊容器を第１糊容器（７）の内側に装着した後で、第２糊容器の内側に防水のためのスプレーを吹き付けてから糊Ｂを貯留すれば、長期間の内装施工現場で使用する場合でも水分が第２糊容器と第１糊容器（７）の隙間に浸透することを防止できる。
【００５４】
また、第２糊容器（５０）、第２糊容器（６０）、第２糊容器（７０）、第２糊容器（８０）の材質は、市町村のゴミ回収で、可燃ゴミに該当する材質ものであれば同様の効果は得られる。
【００５５】
また、第２糊容器（７０）に貯留された糊Ｂの圧力により、第２糊容器（７０）の左側面（７１）と右側面（７２）と背面（７３）と正面（７４）は、第１糊容器（７）の左側面（２２）と右側面（２３）と背面（２４）と正面（２５）に押さえ付けられて保持されるので、第２糊容器（７０）に少し厚みがあり腰のある材質のフィルム、あるいは腰のある紙を用いれば、粘着剤面（７７ａ）と粘着剤面（７７ｂ）と粘着剤面（７７ｃ）と粘着剤面（７７ｄ）を設けなくても支障ない。
【００５６】
また、第１糊容器（７）の内側にスプレー式の樹脂材料を吹き付けて、硬化させて樹脂性の第２糊容器を形成して糊Ｂを貯留し、糊付け作業完了後に、第２糊容器を第１糊容器（７）から剥がして分離する方法でも同様の効果が得られる。
【符号の説明】
【００５７】
１    壁紙糊付機
２    脚
３    本体部
４    スリッター
５    制御装置
６    壁紙保持用リール
７    第１糊容器
８    上部フレーム
９    下部フレーム
１０    検尺ローラー
１１    ハイテンションローラー
１２    押さえローラー
１３    送り出しローラー
１４    糊付けローラー
１５    ナラシローラー
１６    糊容器脚受け
１７    糊容器受け
１８    糊上げローラー
１９    ドクターローラー
２０    原反受け
２１    表示操作部
２２    左側面
２３    右側面
２４    背面
２５    正面
２６ａ  底面
２６ｂ  底面
２７ａ  糊容器脚
２７ｂ  糊容器脚
２８ａ  糊上げローラー受け
２８ｂ  糊上げローラー受け
２９    糊抜き穴
３０    糊抜き穴蓋
５０      第２糊容器
５１      左側面
５２      右側面
５３      背面
５４      正面
５５ａ    底面
５５ｂ    底面
５６ａ    切り込み
５６ｂ    切り込み
５６ｃ    切り込み
５６ｄ    切り込み
５７ａ    端部押さえ
５７ｂ    端部押さえ
５７ｃ    端部押さえ
５７ｄ    端部押さえ
６０      第２糊容器
６１      左側面
６２      右側面
６３      背面
６４      正面
６５ａ    底面
６５ｂ    底面
６６ａ    切り込み
６６ｂ    切り込み
６６ｃ    切り込み
６６ｄ    切り込み
６７ａ    粘着剤面
６７ｂ    粘着剤面
６７ｃ    粘着剤面
６７ｄ    粘着剤面
７０      第２糊容器
７１      左側面
７２      右側面
７３      背面
７４      正面
７５ａ    底面
７５ｂ    底面
７６ａ    粘着剤面
７６ｂ    粘着剤面
７６ｃ    粘着剤面
７６ｄ    粘着剤面
８０      第２糊容器
８１      左側面
８２      右側面
８３      背面
８４      正面
８５ａ    底面
８５ｂ    底面
８６ａ    粘着剤面
８６ｂ    粘着剤面
８６ｃ    粘着剤面
８６ｄ    粘着剤面
８６ｅ    粘着剤面
８６ｆ    粘着剤面
１０１    壁紙糊付機
１０２    脚
１０３    本体部
１０４    スリッター
１０５    制御装置
１０６    壁紙保持用リール
１０７    糊容器
１０８    上部フレーム
１０９    下部フレーム
１１０    検尺ローラー
１１１    ハイテンションローラー
１１２    押さえローラー
１１３    送り出しローラー
１１４    糊付けローラー
１１５    ナラシローラー
１１６    糊容器脚受け
１１７    糊容器受け
１１８    糊上げローラー
１１９    ドクターローラー
１２０    原反受け
１２１    表示操作部
１２２    左側面
１２３    右側面
１２４    背面
１２５    正面
１２６ａ  底面
１２６ｂ  底面
１２７ａ  糊容器脚        
１２７ｂ  糊容器脚
１２８ａ  糊上げローラー受け   
１２８ｂ  糊上げローラー受け
１２９    糊抜き穴
１３０    糊抜き穴蓋
Ａ    壁紙
Ｂ    糊
【図１】
2019209485.tif 000003
【図２】
2019209485.tif 000004
【図３】
2019209485.tif 000005
【図４】
2019209485.tif 000006
【図５】
2019209485.tif 000007
【図６】
2019209485.tif 000008
【図７】
2019209485.tif 000009
【図８】
2019209485.tif 000010
【図９】
2019209485.tif 000011
【図１０】
2019209485.tif 000012
【図１１】
2019209485.tif 000013
【図１２】
2019209485.tif 000014
【図１３】
2019209485.tif 000015
【図１４】
2019209485.tif 000016